(57)【特許請求の範囲】
【請求項１】
外扉に対しその吊り元と反対側の扉枠背面に布設して扉開閉用のハンドルに連係させた上下動可能なチャンネル鋼板製のスライダロックと、該スライダロックの後端面に上下方向に分散して開口した複数の係合角穴に対向して本体キャビネットの開口端部に複数のフックプレートを設け、前記スライダロックの係合角穴をフックプレートに引っ掛けて外扉を閉位置に鎖錠するようにした自動販売機の外扉ロック装置において、前記スライダロックの前端縁であって、当該スライダロックの後端面に開口した複数の係合角穴の近傍位置に鉤形の係合爪を突出して形成した上で、該係合爪を、当該係合爪に対応して外扉の扉枠に上下方向に分散して形成したスリット状係合溝に引っ掛けてスライダロックを扉枠に係合保持し、前記係合爪における前記スリット状係合溝との嵌め合い代となる突出し長さは、当該嵌め合い代が上下動するスライダロックの移動ストロークの範囲内においては前記係合爪の係合溝への引っ掛かりが外れないように少なくとも前記移動ストロークよりも長くなるように定めたことを特徴とする自動販売機の外扉ロック装置。
【発明の詳細な説明】
【技術分野】
【０００１】
本発明は、自動販売機の本体キャビネット前面に配した外扉の扉ロック装置に関し、詳しくは該扉ロック装置の中核部品をいたずら行為から防護する組立構造に係わる。
【背景技術】
【０００２】
周知のように、機内に商品収納ラック，コインメックなどを搭載した自動販売機の本体キャビネットの前面には片開き式の外扉を備えており、該外扉は扉前面に配した錠付きハンドルの操作により扉を閉位置で鎖錠，釈放する扉ロック装置を装備している。
【０００３】
また、自動販売機の外扉ロック装置に関しては、バールなどの工具を使って扉を無理やりにこじ開けて庫内の商品収納ラック，コインメックの金庫から商品，金銭を不正に盗み出す手口に対する防犯対策として従来から様々な防盗構造が提案されている。
【０００４】
次に、自動販売機に採用されている外扉ロック装置の従来構造，および該外扉ロック装置をいたずら行為から防護する防盗構造を図４ないし図８で説明する。まず、図４において、１は自動販売機の本体キャビネット、２は本体キャビネット１の前面に配した片開き式の外扉、３は販売商品の見本を陳列したディスプレイ室、４は操作パネル、５は商品取出口、６は外扉２の吊り元（ヒンジ）と反対側に設けた扉開閉用のハンドル（シリンダ錠付き）であり、該ハンドル６は図５に示す構造の扉ロック装置（例えば、特許文献１参照）に連係している。
【０００５】
図５において、６ａは前記ハンドル６の後端に連結した操作レバー、７は操作レバー６ａに連繋して外扉の背面に布設した上下可動なスライダロック、９はスライダロック７に対向してキャビネット本体１の前端開口部に沿い上，中，下の３箇所に分散して設けた鉤形のフックプレート（掛け金）、１０は外扉２の側縁に沿い扉枠２ｂから背後に張り出して外扉２と本体キャビネット１との間の合せ面を外側から覆うように設けた庇状の防盗板であり、図６で示すように前記スライダロック７，防盗板１０は外扉２の側縁部に沿ってその扉枠に組み付けられる。なお、図６において、２ａは外扉の吊り元側に設けたヒンジ金具、１１は外扉のディスプレイ室３に配した商品選択釦、１２は外扉２の裏面側に設置したコインメック、１２ａはその金庫である。
【０００６】
次に、前記スライダロック７，防盗板１０の組立構造を図７，図８で説明する。上下方向に長尺なスライダロック７は断面コ字形のチャンネル鋼板で作られており、その後端面には本体キャビネット１の前端部に設けた前記フックプレート９の先端に形成した切込凹溝と掛け合う係合角穴７ａ（図７（ａ）参照）が上，中，下段の３箇所に分けて開口し、かつ側壁には前記したハンドル６の操作レバー６ａの先端に連係する角穴（不図示）が開口している。そして、スライダロック７はその上端部が次記構造の取付金８を介して外扉２の扉枠２ｂに上下スライド可能に吊り下げ支持されている。
【０００７】
すなわち、前記取付金８は、図７（ａ），（ｂ）のように断面コ字形の鋼板で、その左右側壁の間にガイドピン８ａを掛け渡し、前端面には外扉２に引っ掛ける係合爪８ｂを切り起こし形成した構造になり、前方からスライダロック７の外側に嵌め合わせ、この位置でスライダロック７の左右側壁面に開口した上下方向の長穴７ｂに前記ガイドピン８ａを通してスライダロック７に連結している。そして、この取付金８は、図８で示すように外扉２の背面側から扉枠２ｂに開口した角穴２ｂ−１に前記係合爪８ｂを引っ掛け、ビス８ｃにより扉枠２ｂにねじ止めする。
【０００８】
一方、防盗板１０は、先記特許文献１に開示されているような異形断面形状になり、その取付基部の端縁に形成した係合フック１０ａを外扉２の背後側から扉枠２ｂに開口したスリット状の係合溝２ｂ−２に差し込んで係止し、さらに別な箇所を扉枠２ｂにねじ止めして固定している。
【０００９】
なお、前記扉ロック装置の鎖錠，釈放動作、および防盗板１０の防盗機能については、特許文献１にも詳しく述べられており、ここではその説明を省略する。
【先行技術文献】
【特許文献】
【００１０】
【特許文献１】特開２００７−７９８８３号公報
【発明の概要】
【発明が解決しようとする課題】
【００１１】
ところで、昨今では自動販売機に加えるいたずら行為の手口が多様化しており、バール等の工具を使って前記防盗板１０を無理やり外扉の側方に変形させた上で、本体キャビネット１と外扉２の合わせ面の隙間から外扉の内側に差し込んだバール等でスライダロック７を変形させ、フックプレート９との係合を強引に外して外扉をこじ開けた状態で機内から商品，金銭を盗み取る手口の盗難事例も報告されている。
【００１２】
このようないたずらの手口に対して、従来の扉ロック装置（図７，図８参照）では、取付金８の支持ピン８ａに上端部を吊り下げ支持した長尺なスライダロック７はその長手方向で外扉２の扉枠２ｂから浮いており、かつ後端面の上下複数箇所には本体キャビネット側のフックプレート９と係合する角穴７ａが開口している。このために、角穴７ａの開口部を狙って前記のように本体キャビネット１と外扉２との間の隙間から差し込んだバールの先端をスライダロック７の角穴７ａに押し込んで外扉２をこじ開けるように外力を加えると、角穴７ａの開口部分（強度の弱点部分）が比較的簡単に捩じれ変形してフックプレート９との係合が外れてしまうことが実機で検証されている。
【００１３】
そこで、このようないたずら手口に対して、扉ロック装置を構成する各部品の板厚を厚くして破壊強度を高める、あるいはその周辺に補強部品を追加するなどの様々な対策を検討したが、いずれもその実施には外扉の外郭形状，扉ロック装置に大幅な変更を加える必要があり、さらに製作コストの増加もあって実用化が困難である。
【００１４】
本発明は上記の点に鑑みなされたものであり、その目的は在来の外扉，扉ロック装置に大きな変更を加えることなく、扉ロック装置の中核部品に僅かに変更を加えるだけで防盗性の強化が図れるように改良した自動販売機の外扉ロック装置を提供することにある。
【課題を解決するための手段】
【００１５】
上記目的を達成するために、本発明によれば、外扉に対しその吊り元と反対側の扉枠背面に布設して扉開閉用のハンドルに連係させた上下動可能なチャンネル鋼板製のスライダロックと、該スライダロックの後端面に上下方向に分散して開口した複数の係合角穴に対向して本体キャビネットの開口端部に複数のフックプレートを設け、前記スライダロックの係合角穴をフックプレートに引っ掛けて外扉を閉位置に鎖錠するようにした自動販売機の外扉ロック装置において、前記スライダロックの前端縁であって、当該スライダロックの後端面に開口した複数の係合角穴の近傍位置に鉤形の係合爪を突出して形成した上で、該係合爪を、当該係合爪に対応して外扉の扉枠に上下方向に分散して形成したスリット状係合溝に引っ掛けてスライダロックを扉枠に係合保持し、前記係合爪における前記スリット状係合溝との嵌め合い代となる突出し長さは、当該嵌め合い代が上下動するスライダロックの移動ストロークの範囲内においては前記係合爪の係合溝への引っ掛かりが外れないように少なくとも前記移動ストロークよりも長くなるように定めるように構成するものとする。
【発明の効果】
【００１６】
上記構成によれば、外扉の外郭形状，扉ロック装置の基本構造に大幅な変更を加えたり、別な補強部品を追加したりすることなしに、扉ロック装置の中核部品であるスライダロックの長手方向に沿って複数箇所に係合爪を形成し、この係合爪を外扉の扉枠に形成したスリット状の係合溝に引っ掛けてスライダロックを外扉に係合保持させることができる。
【００１７】
これにより、バールなどを使って外部からスライダロックに加える破壊行為に対し、スライダロックの破壊強度を高めて自動販売機の防盗性強化を図ることができる。
また、前記の係合爪を本体キャビネットのフックプレートに掛止するスライダロックの角穴近傍に形成することで、破壊強度を効果的に増強できる。
【図面の簡単な説明】
【００１８】
【図１】本発明の実施例による外扉ロック装置の要部の組立構造を表す図で、外扉の前方側から見た分解斜視図である。
【図２】図１の組立状態を表す斜視図である。
【図３】図１におけるスライダロック，およびその取付金の構造図であって、（ａ）はスライダロック全体の斜視図、（ｂ）は（ａ）における矢視Ａ部の拡大図である。
【図４】自動販売機の外観図である。
【図５】図４の矢視Ｘ−Ｘ断面図として表した扉ロック装置の組立構造図である。
【図６】図５に対応する扉ロック装置の扉側装着部品を外扉の背面側から見た分解斜視図である。
【図７】図６におけるスライダロックの詳細構造図であって、（ａ）は上端部の斜外形視図、（ｂ）は（ａ）の拡大平面図である。
【図８】外扉の前面側から見たスライダロック，防盗板の取付手順を表す説明図である。
【発明を実施するための形態】
【００１９】
以下、本発明の実施の形態を図１〜図３に示す実施例に基づいて説明する。なお、実施例の図中で図７，図８に対応する部材には同じ符号を付してその説明は省略する。
図示実施例の扉ロック装置は基本的に先記の従来構造と同様であるが、扉ロック装置の中核部品であるスライダロック７を外扉２に組み付ける組立構造について、以下述べるように改造されている。
【００２０】
すなわち、断面コ字形のチャンネル鋼板で作られたスライダロック７には、図３（ａ），（ｂ）で示すように、上，中，下段に分けてその後端面に開口した係合角穴７ａと略同じ高さ位置に合わせてチャンネル鋼板の前端縁から前方に向けて逆Ｌ字状に突き出す鉤形の係合爪７ｃが複数箇所に形成されている。一方、前記係合爪７ｃに対向して外扉２の扉枠２ｂには、図１で示すように防盗板１０の係合フック１０ａを引っ掛ける係合溝２ｂ−２の内側に並べてスライダロック７の係合爪７ｃを差込み係合する縦長なスリット状の係合溝２ｂ−３が形成されている。
【００２１】
そして、スライダロック７を外扉２に組み付けるには、図１のように外扉２の背面側から前記係合爪７ｃを扉枠２ｂに開口したスリット状係合溝２ｂ−３に差し込んで扉枠２ｂに引っ掛け、この状態でスライダロック７の上端にあらかじめ連結しておいた取付金８を従来の扉ロック装置と同様な手順で係合爪８ｂ，ビス８ｃを介して扉枠２ｂの背面に固定する。図２はこの組み付け状態を表しており、前記係合爪７ｃが扉枠２ｂに形成したスリット状係合溝２ｂ−３から前方に突出して扉枠２ｂに係合している。
【００２２】
なお、前記スライダロック７に形成した係合爪７ｃの突出し長さＬ（図３（ｂ）参照）と扉枠２ｂに形成したスリット状係合溝２ｂ−３との間の嵌め合い代については、スライダロック７に扉開閉用ハンドル６の操作レバー６ａを連係させた扉ロック装置（図５参照）の組立状態で、ハンドル６の開閉操作に従動して上下動するスライダロック７の移動ストロークで係合爪７ｃが係合溝２ｂ−３から外れないように設定している。また係合爪７ｃの根元（首部）はできるだけ幅を広くし、かつそのコーナー部にはＲ加工を施して爪部の破断強度を高めるようにしている。
【００２３】
上記の構成により、外扉２の扉ロック位置で本体キャビネット１のフックプレート９に掛け止めしたスライダロック７は、その上下長手方向に沿って後端面に係合角穴７ａが開口した部位（耐変形強度の弱点部分）が係合爪７ｃを介して外扉２の扉枠２ｂに係合保持されている。したがって、先述のように不正いたずら行為で本体キャビネット１と外扉２の合わせ面から差し込んだバールなどの工具を使ってスライダロック７を無理やり変形させてフックプレート９との係合を外そうと試みても、この部分が係合爪７ｃを介して扉枠２ｂに係合保持されているのでスライダロック７を簡単に変形させることができず、これにより高い防盗性を確保できる。
【００２４】
なお、図示実施例では、前記係合爪７ｃが断面コ字形のスライダロック７に対してその片方の側壁前端縁にのみ形成されているが、係合爪７ｃ左右両側壁に形成してスライダロック７の耐変形強度を更に高めようにしてもよい。
【符号の説明】
【００２５】
１    本体キャビネット
２    外扉
２ａ  扉のヒンジ金具
２ｂ  扉枠
２ｂ−１  スライダロック取付金具の係合溝
２ｂ−２  防盗板のロック爪の係合溝
２ｂ−３  スライダロックの爪の係合溝
６    外扉の開閉用ハンドル
６ａ  操作レバー
７    スライダロック
７ａ  係合角穴
７ｃ  係合爪
８    スライダロックの取付金
９    フックプレート
１０    防盗板
１０ａ  係合フック
【図２】
0005664115.tif 000002
【図３】
0005664115.tif 000003
【図１】
0005664115.tif 000004
【図４】
0005664115.tif 000005
【図５】
0005664115.tif 000006
【図６】
0005664115.tif 000007
【図７】
0005664115.tif 000008
【図８】
0005664115.tif 000009